(57)【要約】【課題】簡易な構成にて複数層のエアバッグによるマッサージが可能なマッサージ機を提供する。【解決手段】膨出方向に積層されたエアバッグを備えるマッサージ機において、膨出方向の基端側エアバッグ４２と２つの先端側エアバッグ４３，４４とを、一体の複合エアバッグ４１として基端側エアバッグ４２の気室と先端側エアバッグ４３，４４の気室とを連通させた。【選択図】図６
2013027650.tif 000002
【特許請求の範囲】
【請求項１】
使用者のマッサージ部位を押圧すべく膨出する複数のエアバッグが膨出方向に積層され、
前記エアバッグは、前記膨出方向の最も基端側の層に設けられた基端側エアバッグと、前記膨出方向の最も先端側の層に設けられた複数の先端側エアバッグとを備え、
前記基端側エアバッグ及び前記先端側エアバッグを膨縮動作させるマッサージ機において、
前記基端側エアバッグと複数の前記先端側エアバッグとを、一体の複合エアバッグとして前記基端側エアバッグの気室と前記先端側エアバッグの気室とを連通させたことを特徴とするマッサージ機。
【請求項２】
請求項１に記載のマッサージ機において、
前記先端側エアバッグ以外のエアバッグの合計容量は、前記先端側エアバッグの合計容量より大きく設定されたことを特徴とするマッサージ機。
【請求項３】
請求項１に記載のマッサージ機において、
前記先端側エアバッグ以外のエアバッグの合計容量は、前記先端側エアバッグの合計容量より小さく設定されたことを特徴とするマッサージ機。
【請求項４】
請求項１〜３のいずれか一項に記載のマッサージ機において、
前記複合エアバッグは、並設された２つの前記先端側エアバッグの組み合わせを少なくとも１組み有し、
前記先端側エアバッグと前記基端側エアバッグとの連通部は、同じ組のもう一方の先端側エアバッグに近い側に設けられたことを特徴とするマッサージ機。
【請求項５】
請求項１〜３のいずれか一項に記載のマッサージ機において、
前記複合エアバッグは、並設された２つの前記先端側エアバッグの組み合わせを少なくとも１組み有し、
前記先端側エアバッグと前記基端側エアバッグとの連通部は、同じ組のもう一方の先端側エアバッグから離間する側に設けられたことを特徴とするマッサージ機。
【請求項６】
請求項１〜５のいずれか一項に記載のマッサージ機において、
各前記先端側エアバッグの容量は、異なる容量に設定されたことを特徴とするマッサージ機。
【請求項７】
請求項１〜６のいずれか一項に記載のマッサージ機において、
複数の前記先端側エアバッグは、収縮状態において、対向部分が互いに当接するように形成されたことを特徴とするマッサージ機。
【請求項８】
請求項１〜６のいずれか一項に記載のマッサージ機において、
複数の前記先端側エアバッグは、膨張状態において、対向部分が互いに当接するように形成されたことを特徴とするマッサージ機。
【請求項９】
請求項１〜８のいずれか一項に記載のマッサージ機において、
前記複合エアバッグが複数設けられたことを特徴とするマッサージ機。
【請求項１０】
請求項９に記載のマッサージ機において、
前記先端側エアバッグは、各複合エアバッグに２つ並設され、
複数の前記複合エアバッグは、各複合エアバッグにおける２つの前記先端側エアバッグ間の中心位置を通り並設方向の直交方向に延びる直線が同一直線上となるように配置されたことを特徴とするマッサージ機。
【請求項１１】
請求項９又は１０に記載のマッサージ機において、
前記基端側エアバッグ及び前記先端側エアバッグの少なくとも１つの容量は、複数の前記複合エアバッグで異なる容量に設定されたことを特徴とするマッサージ機。
【発明の詳細な説明】
【技術分野】
【０００１】
本発明は、エアバッグの膨縮動作によって使用者のマッサージ部位に対して押圧等のマッサージを行うマッサージ機に関するものである。
【背景技術】
【０００２】
この種のマッサージ機を椅子型としたマッサージ椅子においては、着座した使用者の背中や臀部、ふくらはぎ部等の各マッサージ部位を押圧してマッサージするためのエアバッグを備えるものがある。このようなマッサージ機としては、例えば、特許文献１に示すように、背もたれ部の内部において、膨出方向の基端側の層に設けられた身体サポート用エアバッグと、膨出方向の先端側の層に設けられた２つのマッサージ用エアバッグとを備えたものがある。又、このマッサージ機は、前記身体サポート用エアバッグと前記マッサージ用エアバッグを膨張させるためのエアポンプを備え、該エアポンプは、それぞれ電磁弁を介して各層のエアバッグ（身体サポート用及びマッサージ用エアバッグ）に接続されている。又、このマッサージ機では、２つのマッサージ用エアバッグが背もたれ部の幅方向に離間して（隙間を有するように）設けられることで、身体の圧迫したくない部位（例えば、背骨）を避けてマッサージすることが可能とされている。
【先行技術文献】
【特許文献】
【０００３】
【特許文献１】特開２００１−１０４４２１号公報
【発明の概要】
【発明が解決しようとする課題】
【０００４】
しかしながら、上記のマッサージ機では、エアバッグ毎にエアポンプと接続する接続孔が設けられ、又、エアバッグの層毎に電磁弁が設けられる構成であるため、構造が複雑であるという問題があった。
【０００５】
本発明は、上記課題を解決するためになされたものであって、その目的は、簡易な構成にて複数層のエアバッグによるマッサージが可能なマッサージ機を提供することにある。
【課題を解決するための手段】
【０００６】
上記課題を解決するために、本発明のマッサージ機は、使用者のマッサージ部位を押圧すべく膨出する複数のエアバッグが膨出方向に積層され、前記エアバッグは、前記膨出方向の最も基端側の層に設けられた基端側エアバッグと、前記膨出方向の最も先端側の層に設けられた複数の先端側エアバッグとを備え、前記基端側エアバッグ及び前記先端側エアバッグを膨縮動作させるマッサージ機において、前記基端側エアバッグと複数の前記先端側エアバッグとを、一体の複合エアバッグとして前記基端側エアバッグの気室と前記先端側エアバッグの気室とを連通させたことを特徴とする。
【０００７】
また上記構成においては、前記先端側エアバッグ以外のエアバッグの合計容量は、前記先端側エアバッグの合計容量より大きく設定されることが好ましい。
また上記構成においては、前記先端側エアバッグ以外のエアバッグの合計容量は、前記先端側エアバッグの合計容量より小さく設定されることが好ましい。
【０００８】
また上記構成においては、前記複合エアバッグは、並設された２つの前記先端側エアバッグの組み合わせを少なくとも１組み有し、前記先端側エアバッグと前記基端側エアバッグとの連通部は、同じ組のもう一方の先端側エアバッグに近い側に設けられることが好ましい。
【０００９】
また上記構成においては、前記複合エアバッグは、並設された２つの前記先端側エアバッグの組み合わせを少なくとも１組み有し、前記先端側エアバッグと前記基端側エアバッグとの連通部は、同じ組のもう一方の先端側エアバッグから離間する側に設けられることが好ましい。
【００１０】
また上記構成においては、各前記先端側エアバッグの容量は、異なる容量に設定されることが好ましい。
また上記構成においては、複数の前記先端側エアバッグは、収縮状態において、対向部分が互いに当接するように形成されることが好ましい。
【００１１】
また上記構成においては、複数の前記先端側エアバッグは、膨張状態において、対向部分が互いに当接するように形成されることが好ましい。
また上記構成においては、前記複合エアバッグが複数設けられることが好ましい。
【００１２】
また上記構成においては、前記先端側エアバッグは、各複合エアバッグに２つ並設され、複数の前記複合エアバッグは、各複合エアバッグにおける２つの前記先端側エアバッグ間の中心位置を通り並設方向の直交方向に延びる直線が同一直線上となるように配置されることが好ましい。
【００１３】
また上記構成においては、前記基端側エアバッグ及び前記先端側エアバッグの少なくとも１つの容量は、複数の前記複合エアバッグで異なる容量に設定されることが好ましい。
【発明の効果】
【００１４】
本発明によれば、簡易な構成にて複数層のエアバッグによるマッサージが可能なマッサージ機を提供することができる。
【図面の簡単な説明】
【００１５】
【図１】本実施形態のマッサージ機の概略構成を説明するための側面図である。
【図２】マッサージ機の概略構成を説明するための正面図である。
【図３】複合エアバッグの概略構成を説明するための斜視図である。
【図４】マッサージ機の構成を説明するためのブロック図である。
【図５】複合エアバッグの収縮状態について説明するための断面図である。
【図６】複合エアバッグの膨張状態について説明するための断面図である。
【図７】別例の複合エアバッグの概略構成を説明するための斜視図である。
【図８】別例の複合エアバッグの膨張状態について説明するための断面図である。
【図９】別例の複合エアバッグの概略構成を説明するための斜視図である。
【図１０】別例の複合エアバッグの膨張状態について説明するための断面図である。
【図１１】別例の複合エアバッグの概略構成を説明するための斜視図である。
【図１２】別例の複合エアバッグの収縮状態について説明するための断面図である。
【図１３】別例の複合エアバッグの膨張状態について説明するための断面図である。
【図１４】別例の複合エアバッグの概略構成を説明するための斜視図である。
【図１５】別例の複合エアバッグの収縮状態について説明するための断面図である。
【図１６】別例の複合エアバッグの膨張状態について説明するための断面図である。
【図１７】別例の背もたれ部の複合エアバッグを説明するための拡大図である。
【図１８】別例の背もたれ部の複合エアバッグを説明するための拡大図である。
【図１９】別例の背もたれ部の複合エアバッグを説明するための拡大図である。
【図２０】別例の複合エアバッグの概略構成を説明するための斜視図である。
【図２１】別例の複合エアバッグの膨張状態について説明するための断面図である。
【図２２】別例のマッサージ機の概略構成を説明するための正面図である。
【図２３】別例のオットマンのマッサージ動作を説明するための断面図である。
【図２４】別例の背もたれ部の複合エアバッグを説明するための拡大図である。
【図２５】別例の背もたれ部の複合エアバッグを説明するための拡大図である。
【図２６】別例のオットマンの複合エアバッグを説明するための拡大図である。
【図２７】（ａ）は、別例の肘掛け部の概略構成を説明するための拡大図、（ｂ）は、（ａ）の複合エアバッグの位置を説明するための説明図である。
【図２８】別例の肘掛け部のマッサージ動作を説明するための断面図である。
【図２９】別例の複合エアバッグの概略構成を説明するための斜視図である。
【図３０】別例の複合エアバッグの収縮状態について説明するための断面図である。
【図３１】別例の複合エアバッグの概略構成を説明するための斜視図である。
【図３２】別例の複合エアバッグの収縮状態について説明するための断面図である。
【図３３】別例の複合エアバッグの膨張状態について説明するための断面図である。
【発明を実施するための形態】
【００１６】
以下、本発明を具体化した一実施形態を図面に従って説明する。
図１及び図２に示すように、本実施形態のマッサージ機１０は、左右一対の支持脚部１１にて支持された座部１２の後端に背もたれ部１３が幅方向の回動軸にて傾動可能に組み付けられている。又、座部１２の前端には、オットマン１４が幅方向の回動軸にて傾動可能に組み付けられている。又、座部１２の幅方向両側には、前後方向に延びる肘掛け部１５が組み付けられている。
【００１７】
座部１２の下側には、背もたれ部１３のリクライニング機構１６が備えられており、このリクライニング機構１６のモータ１６ａの駆動により背もたれ部１３のリクライニングがなされるようになっている。又、オットマン１４についても、座部１２の下側に該オットマン１４の上下動機構１７が備えられており、この上下動機構１７のモータ１７ａの駆動によりオットマン１４の上下動がなされるようになっている。
【００１８】
又、座部１２の下側には、支持脚部１１の間に制御装置３１が設けられている。制御装置３１は、接続ホース３２を介して背もたれ部１３の幅方向中央部に内装された複合エアバッグ４１に接続されている。複合エアバッグ４１は、使用者Ｈの背部（マッサージ部位）Ｈ１を押圧すべく膨出するように、その一部が背もたれ部１３内の支持部材１８に固定され、表面がシートカバー１９にて覆われている。複合エアバッグ４１は、複数層（本実施形態では２層）で構成され、膨出方向の基端側の層に設けられた基端側エアバッグ４２と先端側の層に設けられた複数（本実施形態では２つ）の先端側エアバッグ４３，４４とを備える。複合エアバッグ４１は、基端側エアバッグ４２の気室と先端側エアバッグ４３，４４の気室とを連通させて一体形成されている。基端側及び先端側エアバッグ４２〜４４は、例えばそれぞれシート状の部材を重ねて配置し周囲を溶着した袋状に形成されている。先端側エアバッグ４３は、着座した使用者Ｈの左側部分に対応し、先端側エアバッグ４４は、使用者Ｈの右側部分に対応している。
【００１９】
図２及び図３に示すように、基端側エアバッグ４２は、収縮状態において、膨出方向から見た形状が略長方形に形成され、長手方向が背もたれ部１３（支持部材１８）の長手方向に沿うように配置されている。基端側エアバッグ４２の長手方向上側（使用者Ｈの頭部側）の端部部分には、２つの固定部４２ａが設けられ、該固定部４２ａには固定孔４２ｂが形成されている。複合エアバッグ４１は、各固定部４２ａの固定孔４２ｂを貫通して支持部材１８に固定される固定部材２０（例えばリベット）にて組付けられている。基端側エアバッグ４２は、膨出方向基端側の面の中央部に接続孔４２ｃが１つ形成され、該接続孔４２ｃに接続ホース３２が接続されている。基端側エアバッグ４２の先端側の面には、先端側エアバッグ４３，４４が積層され連結されている。
【００２０】
先端側エアバッグ４３，４４は、収縮状態において、膨出方向から見た形状が略長方形に形成され、長手方向が基端側エアバッグ４２の長手方向に沿うようにして、基端側エアバッグ４２の幅方向（並設方向）に２つ並設されている。先端側エアバッグ４３，４４は、気室の容量が等しく設定され、並設方向の間に隙間Ｓが形成されている。固定部材２０により組付けられた複合エアバッグ４１は、前記隙間Ｓが背もたれ部１３の幅方向中央に位置する。
【００２１】
基端側及び先端側エアバッグ４２〜４４は、連通孔４３ａ，４４ａを介して気室が連通されている。連通孔４３ａ，４４ａは、各先端側エアバッグ４３，４４の基端側の面において、その幅（並設）方向の中心位置に形成されている。従って、連通孔４３ａ，４４ａにて一体形成された複合エアバッグ４１は、蛇腹形状をなしている。連通孔４３ａ，４４ａは、例えば基端側及び先端側エアバッグ４２〜４４のそれぞれ対応する面に形成された貫通孔を互いに位置合せし、その周囲を溶着固定して形成される。尚、本実施形態における複合エアバッグ４１は、基端側エアバッグ４２の容量と先端側エアバッグ４３，４４の合計容量とが同じに設定されている。
【００２２】
図４に示すように、制御装置３１は、制御部３３と、電動駆動されるエアポンプ３４と、三方電磁弁３５とを備えている。制御装置３１は、制御部３３により、エアポンプ３４及び電磁弁３５を制御可能に構成されている。エアポンプ３４は、電磁弁３５（本実施形態では１つ）を介して複合エアバッグ４１に接続された接続ホース３２に接続されている。制御部３３は、図示しないスイッチの操作等に基づいて、エアポンプ３４を駆動して圧縮空気を生成し、電磁弁３５を大気開放側から供給側に切り替えることで、前記圧縮空気を複合エアバッグ４１に給気して基端側及び先端側エアバッグ４２〜４４を膨張させる。一方、制御部３３は、複合エアバッグ４１の所定の膨張動作が終了すると、電磁弁３５を供給側から大気開放側に切り替えて複合エアバッグ４１内の空気を大気中に排気させることで、基端側及び先端側エアバッグ４２〜４４を収縮させる。複合エアバッグ４１によるマッサージは、この膨張・収縮動作の繰り返しによってなされる。又、この制御装置３１は、制御部３３により、リクライニング機構１６のモータ１６ａ（図１参照）及び上下動機構１７のモータ１７ａを制御可能に構成されている。
【００２３】
次に、このように構成されたマッサージ機１０の動作（作用）について説明する。
制御装置３１は、制御部３３により、例えば予めプログラムされたマッサージコースに従ってエアポンプ３４及び電磁弁３５を制御して、複合エアバッグ４１を膨縮動作させる。まず、図５に示すように、基端側及び先端側エアバッグ４２〜４４は、マッサージを行わない非駆動時の収縮状態において、支持部材１８とシートカバー１９との間に折り畳まれた状態で収納されている。次いで、マッサージコースに従って制御部３３がエアポンプ３４を駆動する。エアポンプ３４からの圧縮空気は、基端側エアバッグ４２に給気されるとともに、連通孔４３ａ，４４ａを介して先端側エアバッグ４３，４４に給気され、複合エアバッグ４１が膨張する。図６に示すように、膨張状態（背部Ｈ１を押圧している状態）において、先端側エアバッグ４３，４４は、連通孔４３ａ，４４ａが設けられた連通部４６，４７を起点として膨張する。先端側エアバッグ４３，４４は、前記隙間Ｓを設けたことで、膨張状態において、並設方向の対向部分の間に隙間が形成される。これにより、先端側エアバッグ４３，４４は、背部Ｈ１の圧迫したくない部位（背骨）Ｂを避けてマッサージすることが可能となる。尚、本実施形態では、膨張状態において、基端側エアバッグ４２が背部Ｈ１側に膨出する幅Ｗ１と、先端側エアバッグ４３，４４が膨出する幅Ｗ２とは、同程度となる。
【００２４】
次に、本実施形態の特徴的な効果を記載する。
（１）本実施形態のマッサージ機１０では、基端側エアバッグ４２と２つの先端側エアバッグ４３，４４とを、一体の複合エアバッグ４１として基端側エアバッグ４２の気室と先端側エアバッグ４３，４４の気室とを連通させている。これにより、基端側及び先端側エアバッグ４２〜４４と、それらを膨張させるためのエアポンプ３４との間に設ける電磁弁３５を１つとすることができる。又、エアポンプ３４を接続するための複合エアバッグ４１の接続孔４２ｃを１つとすることができる。その結果、簡易な構成にて複数層の複合エアバッグ４１によるマッサージが可能なマッサージ機１０を提供するこができる。
【００２５】
（２）収縮状態において、先端側エアバッグ４３，４４の並設方向の間には、隙間Ｓが形成されている。先端側エアバッグ４３，４４は、膨張状態において、並設方向の対向部分の間に隙間が形成される。これにより、背部Ｈ１（マッサージ部位）の圧迫したくない部位Ｂを避けたマッサージを施すことで、マッサージ感を向上させることができる。
【００２６】
（３）複合エアバッグ４１は、基端側エアバッグ４２と先端側エアバッグ４３，４４とが連通孔４３ａ，４４ａにて連通された蛇腹形状をなしている。これにより、複数層の複合エアバッグ４１の膨出する量を確保しつつ、収納スペースを小さくすることができる。
【００２７】
尚、本発明の実施形態は、以下のように変更してもよい。
・上記実施形態では、複合エアバッグ４１を基端側及び先端側エアバッグ４２〜４４の２層で構成したが、３層以上の複数層で構成してもよい。この場合、基端側エアバッグ４２と先端側エアバッグ４３，４４との気室を、他の層のエアバッグを介して連通させてもよい。
【００２８】
・上記実施形態では、基端側エアバッグ４２の容量と、先端側エアバッグ４３，４４の合計容量とは、同じに設定されていたが、これに限定されない。例えば、図７及び図８に示す複合エアバッグ５１は、基端側エアバッグ４２の容量が先端側エアバッグ４３，４４の合計容量より大きく設定されている。このように、基端側エアバッグ４２の容量を大きくすることで、図８に示すように、例えば基端側エアバッグ４２が膨張する幅Ｗ１を大きくすることができ、先端側エアバッグ４３，４４全体を底上げして、その膨出する量を容易に大きくすることができる。
【００２９】
尚、複合エアバッグ５１を、３層以上の複数層で構成した場合には、先端側エアバッグ４３，４４以外のエアバッグ（基端側エアバッグ４２を含む）の合計容量を先端側エアバッグ４３，４４の合計容量より大きく設定することで、同様の効果を得ることができる。
【００３０】
又、例えば図９及び図１０に示すように、基端側エアバッグ４２の容量を、先端側エアバッグ４３，４４の合計容量より小さく設定してもよい。図９及び図１０に示す複合エアバッグ５２は、基端側エアバッグ４２の容量を先端側エアバッグ４３，４４に対して相対的に小さくすることで、例えば先端側エアバッグ４３，４４を並設方向の外側（図１０の矢印の方向）に向かって膨張させることができる。これにより、例えばマッサージ部位（背部Ｈ１）を外側に押し広げるようなマッサージを施すことができる。
【００３１】
尚、複合エアバッグ５２を、３層以上の複数層で構成した場合には、先端側エアバッグ４３，４４以外のエアバッグ（基端側エアバッグ４２を含む）の合計容量を先端側エアバッグ４３，４４の合計容量より小さく設定することで、同様の効果を得ることができる。
【００３２】
・上記実施形態では、先端側エアバッグ４３，４４の連通孔４３ａ，４４ａ（連通部４６，４７）は、各先端側エアバッグ４３，４４の基端側の面において、その並設方向の中心位置に形成されていたが、これに限定されない。例えば、図１１〜図１３に示す複合エアバッグ５３は、先端側エアバッグ４３，４４の連通孔４３ａ，４４ａが、もう一方の先端側エアバッグ４３，４４に近い側に設けられる。言い換えると、連通孔４３ａ，４４ａ（連通部４６，４７）が、その先端側エアバッグ４３，４４における並設方向の中心位置よりもう一方の先端側エアバッグ４３，４４側（内側）に設けられる。このようにすると、例えば先端側エアバッグ４３，４４の連通部４６，４７が設けられた部分より外側の部分を、連通部４６，４７を起点として並設方向の内側（図１３の矢印の方向）に向かって膨張させることが可能となる。よって、例えば背部Ｈ１（マッサージ部位）を並設方向の両側から挟むようなマッサージを施すことができる。
【００３３】
尚、上記した図１１に示す構成では、１つの基端側エアバッグ４２に対して並設された２つの先端側エアバッグ４３，４４の組み合わせを１組設けたが、複数組設けてもよい。この場合、連通孔４３ａ，４４ａを、同じ組のもう一方の先端側エアバッグ４３，４４に近い側に設けることで同様の効果を得ることができる。
【００３４】
又、例えば図１４〜図１６に示す複合エアバッグ５４のように、先端側エアバッグ４３，４４の連通孔４３ａ，４４ａを、もう一方の先端側エアバッグ４３，４４から離間する側に設けてもよい。言い換えると、連通孔４３ａ，４４ａ（連通部４６，４７）が、その先端側エアバッグ４３，４４における並設方向の中心位置よりもう一方の先端側エアバッグ４３，４４から離間する側（外側）に設けられる。このようにすると、例えば先端側エアバッグ４３，４４の連通部４６，４７が設けられた部分より内側の部分を、連通部４６，４７を起点として並設方向の外側（図１６の矢印の方向）に向かって膨張させることが可能となる。よって、例えば背部Ｈ１を並設方向の外側に押し広げるようなマッサージを施すことができる。
【００３５】
尚、上記した図１４に示す構成では、１つの基端側エアバッグ４２に対して並設された２つの先端側エアバッグ４３，４４の組み合わせを１組設けたが、複数組設けてもよい。この場合、連通孔４３ａ，４４ａを、同じ組のもう一方の先端側エアバッグ４３，４４から離間する側に設けることで同様の効果を得ることができる。
【００３６】
・上記実施形態では、背もたれ部１３に複合エアバッグ４１を１つ設けたが、これに限定されず、複数個設けてもよい。図１７に示すように、例えば背もたれ部１３には、３つの複合エアバッグ５５〜５７が設けられる。このようにすると、複数の複合エアバッグ５５〜５７が設けられるため、より多様なマッサージを行うことができる。尚、複合エアバッグ５５〜５７における膨縮動作は、２つのエアバッグに同じ動作をさせたり、全て連動させたり、又は個々に独立した動作をさせたりする等、どのように制御してもよい。
【００３７】
又、複合エアバッグ５５〜５７は、各複合エアバッグ５５〜５７における先端側エアバッグ４３，４４間の中心位置を通り並設方向の直交方向に延びる直線が同一直線上（図１７における直線Ｌ１上）となるように配置されている。直線Ｌ１は、例えば、背もたれ部１３の幅方向の中心位置を通る長手方向の直線に設定することが好ましい。これにより、例えば直線的に延びる背骨を避けながら各複合エアバッグ５５〜５７により多様なマッサージを行うことができる。
【００３８】
又、例えば図１８に示すように、複合エアバッグ５６の容量を小さくするとともに、複合エアバッグ５７の容量を大きくした構成としてもよい。複合エアバッグ５６は、基端側及び先端側エアバッグ４２〜４４の容量が他の複合エアバッグ５５，５７に比べて相対的に小さくなるように設定されている。又、複合エアバッグ５７は、基端側及び先端側エアバッグ４２〜４４の容量が他の複合エアバッグ５５，５６に比べて相対的に大きくなるように設定されている。各複合エアバッグ５５〜５７の容量は、例えば膨張状態の複合エアバッグ５５〜５７で形成される形状が背部Ｈ１の形状（背骨の曲線）に応じて設定されている。このようにすると、例えばマッサージ部位の形状に合わせたマッサージ等、膨出パターンの異なる複数の複合エアバッグ５５〜５７により、多様なマッサージを行うことができる。
【００３９】
又、例えば図１９に示すように、先端側エアバッグ４３，４４の容量を複合エアバッグ５５〜５７で上記別例（図１８参照）と同様に異なる容量としながら、基端側エアバッグ４２の容量を全ての複合エアバッグ５５〜５７で同じに設定にしてもよい。これにより、上記した効果と略同様の効果を得ることができる。つまり、基端側及び先端側エアバッグ４２〜４４の少なくとも１つの容量が、複数の複合エアバッグ５５〜５７で異なる容量となるように適宜設定を変更することで、多様なマッサージを行うことができる。
【００４０】
・上記実施形態では、先端側エアバッグ４３，４４は、容量が等しく設定されていたが、これに限定されない。例えば、図２０及び図２１に示す複合エアバッグ５８は、一方の先端側エアバッグ４３の容量が他方の先端側エアバッグ４４の容量に比べて小さく設定されている。このようにすると、図２１に示すように、一方の先端側エアバッグ４４を他方の先端側エアバッグ４３に比べて大きく膨張させることができる。よって、例えば背部Ｈ１（マッサージ部位）を傾動させることが可能となり、使用者Ｈの上半身を下半身に対して捻るようなマッサージを施すことができる。
【００４１】
又、例えば図２２に示すように、上記の図２０に示した構成の複合エアバッグ５８を、座部１２の幅方向両側の（太股に対応した）側面部７１やオットマン１４の内側面部７２に設けてもよい。このようにすると、前記太股に対応した側面部７１に設けた複合エアバッグ５８により使用者Ｈの太股を上面側から押圧するようなマッサージを施すことができる。又、図２３に示すように、前記内側面部７２に設けた複合エアバッグ５８により使用者Ｈの脚部（下腿）Ｈ２における骨Ｈ２ａを除く部分を包むようにマッサージすることができ、マッサージ感を向上させることができる。
【００４２】
又、例えば図２４に示すように、先端側エアバッグ４３，４４の容量が異なる複合エアバッグ５９，６０を、背もたれ部１３の長手方向に沿うように交互に２つ（合計４つ）設けてもよい。複合エアバッグ５９は、一方の（使用者Ｈの左側部分に対応した）先端側エアバッグ４３に比べて、他方の（使用者Ｈの右側部分に対応した）先端側エアバッグ４４の容量が大きくなるように設定されている。又、複合エアバッグ６０は、複合エアバッグ５９とは逆に、一方の（使用者Ｈの左側部分に対応した）先端側エアバッグ４３に比べて、他方の（使用者Ｈの右側部分に対応した）先端側エアバッグ４４の容量が小さくなるように設定されている。そして、各複合エアバッグ５９，６０は、それぞれの基端側エアバッグ４２の並設方向の中心位置を通り、該並設方向の直交方向に延びる直線が直線Ｌ１上となるように配置されている。言い換えると、複合エアバッグ５９，６０は、互いの先端側エアバッグ４３，４４間の中心位置が直線Ｌ１に対して反対側にずれた位置となるように配置されている。尚、直線Ｌ１は、背もたれ部１３の幅方向の中心位置を通る長手方向の直線である。このようにすると、各複合エアバッグ５９，６０を交互に膨縮動作させることで使用者Ｈの上半身を左右に捻るようなマッサージを行うことができる。
【００４３】
又、上記の図２４に示した複合エアバッグ５９，６０を、例えば図２５に示すように、先端側エアバッグ４３，４４間の中心位置を通り並設方向の直交方向に延びる直線が直線Ｌ１上となるように配置してもよい。このようにすると、圧迫したくない部位Ｂを避けつつ、使用者Ｈの上半身を左右に捻るようなマッサージを行うことができる。
【００４４】
又、例えば図２６に示すように、オットマン１４の左右の下腿保持面７３に複合エアバッグ６１を設けてもよい。複合エアバッグ６１は、使用者Ｈの脚部のアキレス腱に対応して下腿保持面７３の下側部分に設けられている。このようにすると、使用者Ｈのアキレス腱を避けたマッサージ動作、又はアキレス腱を伸縮させるマッサージ動作等の多様なマッサージを行うことができる。
【００４５】
又、例えば図２７（ａ）に示すように、肘掛け部１５にカバー片７５を設け、肘掛け部１５とカバー片７５とのそれぞれに複合エアバッグ６２，６３を設けてもよい。肘掛け部１５の前端には、カバー片７５が幅方向の回動軸にて傾動可能に組み付けられている。カバー片７５は、その後端自由端側が肘掛け部１５の上面１５ａから所定角度で拡開するように設けられており、使用者Ｈの前腕部Ｈ３（腕の肘から手側部分）が肘掛け部１５との間に挿入できるようになっている。複合エアバッグ６２は、肘掛け部１５の上面１５ａに設けられている。又、複合エアバッグ６３は、肘掛け部１５の上面１５ａと対向するカバー片７５の下面７５ａに設けられている。図２７（ｂ）に示すように、複合エアバッグ６３の先端側エアバッグ４３，４４は、長尺形状のカバー片７５の短手方向に並設され、その間に隙間Ｓが形成されている。又、複合エアバッグ６２の先端側エアバッグ４３，４４は、複合エアバッグ６３と同様に（複合エアバッグ６３の先端側エアバッグ４３，４４と対向するように）肘掛け部１５に配置されている。このようにすると、図２８に示すように、複合エアバッグ６２，６３にて、例えば前腕部Ｈ３の骨Ｈ３ａを除く部分を包むようにマッサージすることができ、マッサージ感を向上させることができる。
【００４６】
・上記実施形態では、先端側エアバッグ４３，４４の間には、隙間Ｓが形成されていたが、これに限定されない。例えば図２９及び図３０に示すように、先端側エアバッグ４３，４４は、隙間Ｓが形成されないように構成してもよい。図２９及び図３０に示す複合エアバッグ６４は、収縮状態において、先端側エアバッグ４３，４４における並設方向の対向部分が互いに膨出方向に重なることなく当接するように形成されている。これにより、マッサージを行わない非駆動時の収縮状態において、着座した使用者Ｈに対して先端側エアバッグ４３，４４同士の間に凹部が形成されてしまうことによる不快感を与えることを抑えることができる。
【００４７】
又、例えば先端側エアバッグ４３，４４は、膨張状態において、対向部分が当接するように構成してもよい。図３１及び図３２に示すように、例えば複合エアバッグ６５は、非駆動時の収縮状態において、先端側エアバッグ４３，４４の並設方向の対向部分が膨出方向に重なるように設定されている。そして、図３３に示すように、先端側エアバッグ４３，４４は、膨張状態において、対向部分が互いに当接するように形成されている。これにより、例えば、先端側エアバッグ４３，４４同士の間に大きな凹部が形成されることなく、より平面状に近い状態でマッサージ部位を押圧することができる。
【００４８】
・上記実施形態において、基端側及び先端側エアバッグ４２〜４４のエアバッグの数は一例であり、適宜変更してもよい。
・上記実施形態において、複合エアバッグ４１（基端側及び先端側エアバッグ４２〜４４）の形状は一例であり、例えば、上方から見た形状が多角形や円形等の他の形状に適宜変更してもよい。
【符号の説明】
【００４９】
１０…マッサージ機、１８…支持部材、３４…エアポンプ、４１，５１〜６５…複合エアバッグ、４２…基端側エアバッグ、４３，４４…先端側エアバッグ、４６，４７…連通部、Ｈ…使用者、Ｈ１…背部（マッサージ部位）、Ｈ２…脚部（マッサージ部位）、Ｈ３…前腕部（マッサージ部位）、Ｌ１…直線。
【図１】
2013027650.tif 000003
【図２】
2013027650.tif 000004
【図３】
2013027650.tif 000005
【図４】
2013027650.tif 000006
【図５】
2013027650.tif 000007
【図６】
2013027650.tif 000008
【図７】
2013027650.tif 000009
【図８】
2013027650.tif 000010
【図９】
2013027650.tif 000011
【図１０】
2013027650.tif 000012
【図１１】
2013027650.tif 000013
【図１２】
2013027650.tif 000014
【図１３】
2013027650.tif 000015
【図１４】
2013027650.tif 000016
【図１５】
2013027650.tif 000017
【図１６】
2013027650.tif 000018
【図１７】
2013027650.tif 000019
【図１８】
2013027650.tif 000020
【図１９】
2013027650.tif 000021
【図２０】
2013027650.tif 000022
【図２１】
2013027650.tif 000023
【図２２】
2013027650.tif 000024
【図２３】
2013027650.tif 000025
【図２４】
2013027650.tif 000026
【図２５】
2013027650.tif 000027
【図２６】
2013027650.tif 000028
【図２７】
2013027650.tif 000029
【図２８】
2013027650.tif 000030
【図２９】
2013027650.tif 000031
【図３０】
2013027650.tif 000032
【図３１】
2013027650.tif 000033
【図３２】
2013027650.tif 000034
【図３３】
2013027650.tif 000035